(57)【要約】【課題】  プラスチック類のゴミを、清掃局に収集される前に、家庭にて前もって、復元化しないように凝縮化でき、収集作業を容易にし、収集場所の容量オーバーにしないためのプラスチック類圧縮器を提供することを目的とする。【解決手段】  プラスチック類のゴミＰが底部２上に載置される前方及び上方開口状収納容器１と、収納容器１の内部１ａに水平状に配設され把持部５を前部６ａに有し上方からゴミＰを押圧する押圧板体６と、を備える。さらに、押圧板体６の上面６ｂに、上方へ突出状に折り返されると共に両端部14ａ，14ａを左右方向に延伸させるよう弾発付勢する折返把持部４ａを中間に有し両端部14ａ，14ａが収納容器１の左右側板３，３の内面３ａ，３ａに上下方向に複数形成された孔10，10に差込抜取自在に挿入される上下方向位置決め棒体４が、左右方向に取り付けられる。また、押圧板体６及び収納容器１の底部２に、ゴミＰを加熱するニクロム線７が、設けられる。【選択図】  図３
0003106567.tif 000002
【実用新案登録請求の範囲】
【請求項１】
プラスチック類のゴミ（Ｐ）が底部（２）上に載置される前方及び上方開口状収納容器（１）と、該収納容器（１）の内部（１ａ）に水平状に配設され把持部（５）を前部（６ａ）に有し上方から上記ゴミ（Ｐ）を押圧する押圧板体（６）と、該押圧板体（６）の上面（６ｂ）に左右方向に取り付けられ上方へ突出状に折り返されると共に両端部（14ａ)(14ａ）を左右方向に延伸させるよう弾発付勢する折返把持部（４ａ）を中間に有し該両端部（14ａ)(14ａ）が上記収納容器（１）の左右側板（３)(３）の内面（３ａ)(３ａ）に上下方向に複数形成された孔（10)(10）に差込抜取自在に挿入される上下方向位置決め棒体（４）と、上記収納容器（１）の底部（２）に設けられ上記ゴミ（Ｐ）を加熱するニクロム線（７）と、を備えたことを特徴とするプラスチック類圧縮器。
【請求項２】
プラスチック類のゴミ（Ｐ）が底部（２）上に載置される前方及び上方開口状収納容器（１）と、該収納容器（１）の内部（１ａ）に水平状に配設され把持部（５）を前部（６ａ）に有し上方から上記ゴミ（Ｐ）を押圧する押圧板体（６）と、該押圧板体（６）の上面（６ｂ）に左右方向に取り付けられ上方へ突出状に折り返されると共に両端部（14ａ)(14ａ）を左右方向に延伸させるよう弾発付勢する折返把持部（４ａ）を中間に有し該両端部（14ａ)(14ａ）が上記収納容器（１）の左右側板（３)(３）の内面（３ａ)(３ａ）に上下方向に複数形成された孔（10)(10）に差込抜取自在に挿入される上下方向位置決め棒体（４）と、上記押圧板体（６）及び上記収納容器（１）の底部（２）に設けられ上記ゴミ（Ｐ）を加熱するニクロム線（７）と、を備えたことを特徴とするプラスチック類圧縮器。
【請求項３】
プラスチック類のゴミ（Ｐ）が底部（２）上に載置される前方及び上方開口状収納容器（１）と、該収納容器（１）の内部（１ａ）に水平状に配設され把持部（５）を前部（６ａ）に有し上方から上記ゴミ（Ｐ）を押圧する押圧板体（６）と、該押圧板体（６）の上面（６ｂ）に左右方向に取り付けられ上方へ突出状に折り返されると共に両端部（14ａ)(14ａ）を左右方向に延伸させるよう弾発付勢する折返把持部（４ａ）を中間に有し該両端部（14ａ)(14ａ）が上記収納容器（１）の左右側板（３)(３）の内面（３ａ)(３ａ）に上下方向に複数形成された孔（10)(10）に差込抜取自在に挿入される上下方向位置決め棒体（４）と、上記押圧板体（６）に設けられ上記ゴミ（Ｐ）を加熱するニクロム線（７）と、を備え、
さらに、上記棒体（４）が、その両端部（14ａ)(14ａ）に、上記押圧板体（６）に設けられた上記ニクロム線（７）と電気的に接続された端子（20)(20）を、有し、
かつ、上記孔（10)(10）の奥部（10ａ)(10ａ）又は内部に、上記棒体（４）の両端部（14ａ)(14ａ）が差し込まれると上記端子（20)(20）と接触して上記ニクロム線（７）に電気を供給する電極（21)(21）が、設けられたことを特徴とするプラスチック類圧縮器。
【考案の詳細な説明】
【技術分野】
【０００１】
本考案は、家庭で発生するプラスチック等のゴミを圧縮して凝縮する装置に関        するものである。
【背景技術】
【０００２】
近年、家庭用ゴミは、多種多様化し、都市清掃局も、生ごみ、ビン缶類、紙屑類、プラスチック類等に分類して収集するようになってきている。
【考案の開示】
【考案が解決しようとする課題】
【０００３】
なかでも、廃プラスチックの空容器等は、嵩張るうえ、弾力があり、圧縮してもすぐ復元してくるので、その容量は、普通のゴミの数倍にもなり、プラスチック収容場所は、常時オーバーとなっている。
【０００４】
そこで、本考案は、プラスチック類のゴミを、清掃局に収集される前に、家庭にて前もって、復元化しないように凝縮化でき、収集作業を容易にし、収集場所を容量オーバーにしないためのプラスチック類圧縮器を提供することを目的とする。
【課題を解決するための手段】
【０００５】
上記の目的を達成するために、本考案に係るプラスチック類圧縮器は、プラスチック類のゴミが底部上に載置される前方及び上方開口状収納容器と、該収納容器の内部に水平状に配設され把持部を前部に有し上方から上記ゴミを押圧する押圧板体と、該押圧板体の上面に左右方向に取り付けられ上方へ突出状に折り返されると共に両端部を左右方向に延伸させるよう弾発付勢する折返把持部を中間に有し該両端部が上記収納容器の左右側板の内面に上下方向に複数形成された孔に差込抜取自在に挿入される上下方向位置決め棒体と、上記収納容器の底部に設けられ上記ゴミを加熱するニクロム線と、を備えている。
【０００６】
または、プラスチック類のゴミが底部上に載置される前方及び上方開口状収納容器と、該収納容器の内部に水平状に配設され把持部を前部に有し上方から上記ゴミを押圧する押圧板体と、該押圧板体の上面に左右方向に取り付けられ上方へ突出状に折り返されると共に両端部を左右方向に延伸させるよう弾発付勢する折返把持部を中間に有し該両端部が上記収納容器の左右側板の内面に上下方向に複数形成された孔に差込抜取自在に挿入される上下方向位置決め棒体と、上記押圧板体及び上記収納容器の底部に設けられ上記ゴミを加熱するニクロム線と、を備えている。
【０００７】
または、プラスチック類のゴミが底部上に載置される前方及び上方開口状収納容器と、該収納容器の内部に水平状に配設され把持部を前部に有し上方から上記ゴミを押圧する押圧板体と、該押圧板体の上面に左右方向に取り付けられ上方へ突出状に折り返されると共に両端部を左右方向に延伸させるよう弾発付勢する折返把持部を中間に有し該両端部が上記収納容器の左右側板の内面に上下方向に複数形成された孔に差込抜取自在に挿入される上下方向位置決め棒体と、上記押圧板体に設けられ上記ゴミを加熱するニクロム線と、を備え、さらに、上記棒体が、その両端部に、上記押圧板体に設けられた上記ニクロム線と電気的に接続された端子を、有し、かつ、上記孔の奥部又は内部に、上記棒体の両端部が差し込まれると上記端子と接触して上記ニクロム線に電気を供給する電極が、設けられている。
【考案の効果】
【０００８】
本考案は、次のような著大な効果を奏する。
簡易な構造でありながら、加熱と加圧により、容易に、家庭で発生するプラスチック類のゴミを、凝縮（減容）することができる。よって、プラスチック類のゴミを、分別ゴミとして、嵩張ることなく廃棄でき、収集が容易になると共に、収容場所（容積）もオーバーとならず、コストダウンと設備の簡素化を図り得る。
【考案を実施するための最良の形態】
【０００９】
以下、実施の形態を示す図面に基づき、本考案を詳説する。
図１〜図６に示すように、本考案に係るプラスチック類圧縮器は、プラスチック類のゴミＰが底部２上に載置される前方及び上方開口状収納容器１を、備える。
収納容器１の左右側板３，３は、その内面３ａ，３ａの前後中間位置に、複数の孔10…が、上下方向に所定ピッチで形成されている。
収納容器１は、横幅及び奥行きが  180 〜220mm に、高さが 100〜 120mmに設定されるのが、好ましく、左右側板３，３の外側に、持ち運び可能とする把手部材12が、横架される。
また、６は、収納容器１の内部１ａに略隙間なく水平状に配設されて、上方からゴミＰを押圧する矩形状の押圧板体である。押圧板体６は、前方突出状の把持部５を、前部６ａ中央に有する。
収納容器１及び押圧板体６は、熱に強く強度を有する金属板等から成るのが、好ましい。
【００１０】
そして、押圧板体６の上面６ｂには、両端部14ａ，14ａが左右方向外方へ突出するように弾発付勢されている上下方向位置決め棒体４が、左右方向に取り付けられ、その両端部14ａ，14ａが、収納容器１の左右側板３，３の上下方向孔10…に、差込抜取自在に挿入される。
具体的には、棒体４は、左右方向に延伸する棒部14，14と、棒部14，14の内端側が上方へ突出状に折り返されて成る（倒立略Ｕ字状の）折返把持部４ａを、有し、折返把持部４ａは、両端部14ａ，14ａを左右方向に突出させるように、弾発付勢する。そして、棒体４は、棒部14，14が、押圧板体６の上面６ｂに固定された一対のアーチ状スライド保持具11，11に通され、左右方向へスライド可能として、保持される。
【００１１】
また、収納容器１の底部２上には、押圧板体６を上方へ押し上げるように弾発付勢する弾発部材９，９が、左右一対に設けられる。
具体的には、弾発部材９は、くの字状に折り曲げて形成された弾性棒体から成り、収納容器１の左右側板３，３の内面３ａ，３ａに、当接して配設される。弾発部材９は、一端９ａ側が収納容器１の底部２上面に前後方向に固定されると共に、他端９ｂ側が前方斜め上向きに配設されて、前方拡開状となっている。
【００１２】
また、収納容器１の底部２を２重積層構造として、上下板の間に、ニクロム線７がサンドイッチ状かつ、蛇行状に、設けられ、（図示省略の）コンセントを介して、収納容器１の外部に設けられる（図示省略の）ＯＮ−ＯＦＦスイッチにより、電源から電力が供給される。
また、押圧板体６を２重積層構造として、上下板の間に、ニクロム線７がサンドイッチ状かつ、蛇行状に、設けられる。そして、ニクロム線７は、収納容器１から分岐した連絡配線を介して、電力が供給される（図示省略）。
ニクロム線７は、押圧板体６、収納容器１の底部２のいずれか一方にのみ、設けられてもよい。
【００１３】
また、図７に示すプラスチック類圧縮器では、棒体４が、その両端部14ａ，14ａに、端子20，20を有する。そして、押圧板体６の上面６ｂ側にて、ニクロム線７の両端部と、端子20，20とが、ルーズな（弛んだ）電気配線にて、接続されている。
さらに、左右側板３，３は、その内面３ａ，３ａに、図１〜図６にて既述したと同様の位置に、孔10…が、形成されると共に、左右側板３，３に於て、上下方向の孔10…の奥部10ａに対応して、帯板状乃至棒状の電極21，21が、内設され、図示省略の外部電源と、接続される。端子20，20は、左右側板３，３の内面３ａ，３ａ側から、孔10…を通して、電極21，21に接触分離自在である。なお、図示省略するが、孔10の内面を導体として、挿入される端子20と、接触させるも好ましい。
【００１４】
次に、プラスチック類圧縮器の使用方法について説明する。
先ず、図１に示すように、収納容器１の底部２上に、プラスチック類のゴミＰを載置する。プラスチック類のゴミＰは、例えば、家庭で発生するポリ袋や、プラスチック製空容器等である。
そして、図２に示すように、一方の手８で、押圧板体６の把持部５を把持し、かつ、他方の手８で、棒体４の折返把持部４ａを、弾発力に抗して握って、位置決め棒体４の両端部14ａ，14ａを押圧板体６の左右端縁よりも内側にスライドさせる。
【００１５】
そして、押圧板体６を、収納容器１の内部１ａに水平状に配設して、上方からゴミＰに当接させ、折返把持部４ａから手８を放して、図３，図５に示すように、棒体４の両端部14ａ，14ａを、収納容器１の左右側板３，３の孔10，10に、挿入する。
それから、収納容器１のＯＮ−ＯＦＦスイッチをＯＮにして、ニクロム線７への通電を開始する。ニクロム線７が発熱したら、一方の手８で、押圧板体６の把持部５を把持し、かつ、他方の手８で、棒体４の折返把持部４ａを、弾発力に抗して握り（図２参照）、押圧板体６を水平状に保ったまま下方へ押圧して、折返把持部４ａから手８を放して図４，図６の状態にする。この押圧力と、ニクロム線７からの加熱により、ゴミＰは、凝縮（減容）される。
なお、収納容器１や押圧板体６に、押圧板体６でゴミＰを押圧していることを検出する装置を設け、押圧検出信号が流れるとニクロム線７へ通電が開始し、押圧し終えれば加熱凝縮作業が終了するよう構成してもよく、作業が一層単純化する。
【００１６】
そして、ゴミＰの凝縮作業が完了したら、一方の手８で、押圧板体６の把持部５を把持し、かつ、他方の手８で、棒体４の折返把持部４ａを、弾発力に抗して握り（図２参照）、押圧板体６を、収納容器１の内部１ａから取り外す。このとき、一対の弾発部材９，９が、押圧板体６を上方へ押し上げるので、押圧板体６は、ゴミＰから分離し易い。
そして、凝縮されたゴミＰを、取り出して、分別ゴミとして、廃棄する。
【００１７】
また、図７に示す圧縮器に於ては、棒体４の折返把持部４ａを握って、両端部14ａ，14ａを左右側板３，３の孔10，10に挿入すると、端子20，20が一対の電極21，21と電気的に接続され、ニクロム線７に自動的に電流が流れ、加熱が開始する。
そして、ゴミＰの凝縮作業が終了したら、棒体４の折返把持部４ａを握って、両端部14ａ，14ａを左右側板３，３の孔10，10から抜き取ると、端子20，20が一対の電極21，21から離れ、ニクロム線７へは電気が流れなくなる。このように、容易に、ニクロム線７の加熱を開始し、さらに、終了させることができる。
【００１８】
以上のように、本考案に係るプラスチック類圧縮器は、プラスチック類のゴミＰが底部２上に載置される前方及び上方開口状収納容器１と、収納容器１の内部１ａに水平状に配設され把持部５を前部６ａに有し上方からゴミＰを押圧する押圧板体６と、押圧板体６の上面６ｂに左右方向に取り付けられ上方へ突出状に折り返されると共に両端部14ａ，14ａを左右方向に延伸させるよう弾発付勢する折返把持部４ａを中間に有し両端部14ａ，14ａが収納容器１の左右側板３，３の内面３ａ，３ａに上下方向に複数形成された孔10…に差込抜取自在に挿入される上下方向位置決め棒体４と、収納容器１の底部２に設けられゴミＰを加熱するニクロム線７と、を備えているので、簡易な構造でありながら、加熱と加圧により容易に、家庭で発生するプラスチック類のゴミＰを、凝縮（減容）することができる。よって、プラスチック類のゴミＰを、分別ゴミとして、嵩張ることなく廃棄でき、収集が容易になると共に、収容場所（容積）も収容オーバーとならず、コストダウンと設備の簡素化を図り得る。
【００１９】
また、プラスチック類のゴミＰが底部２上に載置される前方及び上方開口状収納容器１と、収納容器１の内部１ａに水平状に配設され把持部５を前部６ａに有し上方からゴミＰを押圧する押圧板体６と、押圧板体６の上面６ｂに左右方向に取り付けられ上方へ突出状に折り返されると共に両端部14ａ，14ａを左右方向に延伸させるよう弾発付勢する折返把持部４ａを中間に有し両端部14ａ，14ａが収納容器１の左右側板３，３の内面３ａ，３ａに上下方向に複数形成された孔10…に差込抜取自在に挿入される上下方向位置決め棒体４と、押圧板体６及び上記収納容器１の底部２に設けられゴミＰを加熱するニクロム線７と、を備えているので、簡易な構造でありながら、加熱と加圧により容易に、家庭で発生するプラスチック類のゴミＰを、凝縮（減容）することができる。よって、プラスチック類のゴミＰを、分別ゴミとして、嵩張ることなく廃棄でき、収集が容易になると共に、収容場所（容積）も収容オーバーとならず、コストダウンと設備の簡素化を図り得る。
また、加熱するニクロム線７が、押圧板体６及び収納容器１の底部２の両方に設けられているので、ゴミＰを多く加熱させることができ、効率よく凝縮化できる。
【００２０】
また、プラスチック類のゴミＰが底部２上に載置される前方及び上方開口状収納容器１と、収納容器１の内部１ａに水平状に配設され把持部５を前部６ａに有し上方からゴミＰを押圧する押圧板体６と、押圧板体６の上面６ｂに左右方向に取り付けられ上方へ突出状に折り返されると共に両端部14ａ，14ａを左右方向に延伸させるよう弾発付勢する折返把持部４ａを中間に有し両端部14ａ，14ａが収納容器１の左右側板３，３の内面３ａ，３ａに上下方向に複数形成された孔10…に差込抜取自在に挿入される上下方向位置決め棒体４と、押圧板体６に設けられゴミＰを加熱するニクロム線７と、を備え、さらに、棒体４が、その両端部14ａ，14ａに、押圧板体６に設けられたニクロム線７と電気的に接続された端子20，20を、有し、かつ、孔10，10の奥部10ａ，10ａ又は内部に、棒体４の両端部14ａ，14ａが差し込まれると端子20，20と接触してニクロム線７に電気を供給する電極21，21が、設けられているので、簡易な構造でありながら、加熱と加圧により容易に、家庭で発生するプラスチック類のゴミＰを、凝縮（減容）することができる。よって、プラスチック類のゴミＰを、分別ゴミとして、嵩張ることなく廃棄でき、収集が容易になると共に、収容場所（容積）も収容オーバーとならず、コストダウンと設備の簡素化を図り得る。
さらに、棒体４の両端部14ａ，14ａを孔10，10に挿入すれば、ニクロム線７は自動的に加熱開始し、抜き取ると、加熱をストップするので、ゴミＰの凝縮作業が、楽になる。
【図面の簡単な説明】
【００２１】
【図１】本発明に係るプラスチック類圧縮器の実施の一形態を示す説明用斜視図である。
【図２】説明用要部斜視図である。
【図３】斜視図である。
【図４】斜視図である。
【図５】正面図である。
【図６】正面図である。
【図７】本発明に係るプラスチック類圧縮器の他の実施の形態を示す要部拡大一部断面正面図である。
【符号の説明】
【００２２】
１  収納容器
１ａ  内部
２  底部
３  側板
３ａ  内面
４  棒体
４ａ  折返把持部
５  把持部
６  押圧板体
６ａ  前部
６ｂ  上面
７  ニクロム線
10  孔
10ａ  奥部
14ａ  端部
20  端子
21  電極
Ｐ  ゴミ
【図１】
0003106567.tif 000003
【図２】
0003106567.tif 000004
【図３】
0003106567.tif 000005
【図４】
0003106567.tif 000006
【図５】
0003106567.tif 000007
【図６】
0003106567.tif 000008
【図７】
0003106567.tif 000009